(57)【特許請求の範囲】
【請求項１】
電解水生成機に供給する塩水を造る塩水生成装置であって、
原水と塩とを溶解又は混合する溶解槽の内部にケージを設け、収容する塩の粒子よりも細かなメッシュの網袋を、該ケージの内部に口を広げた状態に支持せしめ、上記溶解槽の天井部分には、上記網袋に収容した塩に向けて原水又は溶解槽からの循環水をシャワー状に散水する注水ノズルを設け、且つ、この天井部分には注水ノズルを囲むガイド筒を下に向けて突設すると共に、支持脚によって溶解槽の上限水位よりも上側位置に支持されたケージの上端口を、上記ガイド筒の外周を囲むように上向き開口したことを特徴とする電解水生成機用塩水生成装置。
【請求項２】
溶解槽に水位検出器を設けて、この水位検出器が所定の水位を検出すると原水の供給を停止し、且つ、切換弁の自動切換によって電解水生成機への塩水の給水経路を溶解槽への循環経路に切換て、溶解槽による塩水の生成をその塩水を一定時間循環させながら行うように構成したことを特徴とする請求項１に記載の電解水生成機用塩水生成装置。
【請求項３】
水位検出器を上下位置が調整自在なフロートスイッチによって構成すると共に、このフロートスイッチの上側部には、バルブの操作によって原水又は循環水をフロートスイッチに向けて注水して洗浄する洗浄ノズルを設けたことを特徴とする請求項２に記載の電解水生成機用塩水生成装置。
【請求項４】
運転時に、切換弁の自動切換によって溶解槽の循環経路側を一時的に開放して、原水の一部を循環経路側に逆流させ、且つ、この循環経路中に充満させるように構成したことを特徴とする請求項１又は２に記載の電解水生成機用塩水生成装置。
【請求項５】
溶解槽又はその循環経路中に、弱酸等の有機酸を加える供給手段を設けたことを特徴とする請求項１、２又は４に記載の電解水生成機用塩水生成装置。
【発明の詳細な説明】
【０００１】
【発明の属する技術分野】
本発明は、電解水生成に用いる塩水を造るための塩水生成装置に関するものである。
【０００２】
【従来の技術】
原水に食塩等の塩を溶解又は混合して電解水生成用の塩水を造る塩水生成装置には、従来より、例えば実開平７−２１１８７号公報の図２に記載されているように、塩水タンクの槽内に網袋を吊し、この網袋の中に塩を投じるように構成したもの、或は、例えば特開平８−３２３３５５号公報の図１に記載されているように、濃塩水タンクの内部に仕切り壁によって食塩が投入される容器を造り、この容器に水道水を供給して塩を溶解し、溶解した塩水をオーバーフローさせて取り出すように構成したものが存在する。
【０００３】
【発明が解決しようとする課題】
ところが、上記従来の塩水生成装置は、いずれも投入された塩を網袋又は容器の底に堆積し、この堆積した塩が水に徐々に溶解して行くのを待って塩水を造るものであるから、溶解速度が遅くて塩水を造るまでに時間が掛る、溶解が不均一で一定濃度の塩水を得ることが難しい、塩害による各部所の腐蝕や破損が激しくてメンテナンスが非常に面倒である、と云った各種の問題があった。
【０００４】
従って本発明の技術的課題は、原水に対して塩を比較的短時間で、而かも、均一な濃度に溶解させることができると共に、使用操作が簡略でメンテナンスも容易に行うことができる電解水生成機用の塩水生成装置を提供することである。
【０００５】
【課題を解決するための手段】
上記の技術的課題を解決するために本発明で講じた手段は以下の如くである。
【０００６】
電解水生成機に供給する塩水を造る塩水生成装置であって、
【０００７】
（１）  原水と塩とを溶解又は混合する溶解槽の内部にケージを設け、収容する塩の粒子よりも細かなメッシュの網袋を、該ケージの内部に口を広げた状態に支持せしめ、上記溶解槽の天井部分には、上記網袋に収容した塩に向けて原水又は溶解槽からの循環水をシャワー状に散水する注水ノズルを設け、且つ、この天井部分には注水ノズルを囲むガイド筒を下に向けて突設すると共に、支持脚によって溶解槽の上限水位よりも上側位置に支持されたケージの上端口を、上記ガイド筒の外周を囲むように上向き開口すること。（請求項１）
【０００８】
（２）  溶解槽に水位検出器を設けて、この水位検出器が所定の水位を検出すると原水の供給を停止し、且つ、切換弁の自動切換によって電解水生成機への塩水の給水経路を溶解槽への循環経路に切換て、溶解槽による塩水の生成をその塩水を一定時間循環させながら行うように構成すること。（請求項２）
【０００９】
（３）  水位検出器を上下位置が調整自在なフロートスイッチによって構成すると共に、このフロートスイッチの上側部には、バルブの操作によって原水又は循環水をフロートスイッチに向けて注水して洗浄する洗浄ノズルを設けること。（請求項３）
【００１０】
（４）  運転時に、切換弁の自動切換によって溶解槽の循環経路側を一時的に開放して、原水の一部を循環経路側に逆流させ、且つ、この循環経路中に充満させるように構成すること。（請求項４）
【００１１】
（５）  溶解槽又はその循環経路中に、弱酸等の有機酸を加える供給手段を設けること。（請求項５）
【００１２】
上記（１）で述べた請求項１に係る手段によれば、ケージに広げた状態に支持された網袋の中に、塩を広げて溶解し易い状態に収容することができると共に、この塩に対して注水ノズルから原水又は循環水をシャワー状に散水して溶かすため、塩を短時間のうちに簡単に溶解して、均一な濃度の塩水を得ることを可能にする。
【００１３】
更に上記（１）で述べた手段によれば、溶解槽の天井部分に取付けた注水ノズルからシャワー状に散水される原水又は循環水を、ガイド筒にガイドさせて全て網袋内の塩に向けて集中的に散水できるため、塩を短時間のうちに効率良く溶解することができると共に、塩を収容した網袋を溶解槽の上限水位よりも上側に支持させて、塩を溶解水（塩水）の中に浸した状態にしていないため、注水ノズルからのシャワー状の散水を塩に直接当てて溶解をより確実に進めることを可能にする。
【００１４】
上記（２）で述べた請求項２に係る手段によれば、水位を調節して溶解槽内の水量を加減調節することができ、また、網袋の中に入れる塩の量も自由に調節することができるため、任意濃度の塩水を生成することができると共に、溶解中は塩水を溶解槽に循環させて溶解を繰返すため、完全に塩を溶解した均一濃度の塩水を生成することを可能にする。
【００１５】
上記（３）で述べた請求項３に係る手段によれば、フロートスイッチによって溶解槽内の水位を任意位置に設定することができると共に、このフロートスイッチを洗浄することによって、フロートスイッチが塩分等で作動不良にならないように保守することができるため、メンテナンス性の向上を図ることができる。
【００１６】
上記（４）で述べた請求項４に係る手段によれば、運転時に必ず原水の一部を循環経路側に逆流させるため、配管を洗浄することができると共に、この逆流させた原水の一部を循環経路中に充満させてポンプ経路中の空気だまりを無くすことができるため、運転時に於ける正常なポンプ輸送を可能にする。
【００１７】
上記（５）で述べた請求項５に係る手段によれば、塩を均一に溶解した塩水に対して弱酸等（例えば酢酸等）の有機酸を更に混合させて、より質の高い電解質を生成することを可能にする。
【００１８】
以上の如くであるから、上記（１）〜（５）の手段によって上述した技術的課題を解決して、前記従来の技術の問題点を解消することができる。
【００１９】
【発明の実施の形態】
以下に上述した本発明に拘る電解水生成機用塩水生成装置の実施の形態を添付した図面と共に説明すると、図１は本発明の全体を示した正面図、図２はその要部を断面にして示した一部断面正面図、図３は平面図、図４は側面図であって、これ等の図面に於いてＴは基台、１は基台Ｔ上に取付けた溶解槽、２は操作パネル、３は溶解槽１に設けたオーバーフロー配管を示す。
【００２０】
図２に於いて１Ｙは溶解槽１の内部１Ｘに立設した支持脚、１Ｚはこの支持脚１Ｙの上に支持されたゲージで、このケージ１Ｚは溶解槽１内に溜っている塩水ＷＴの上限水位よりも常に上側に位置するように上記の支持脚１Ｙに支持されている。
【００２１】
１６は溶解槽１の天井１７に下向きに取付けた注水ノズル、１Ｅはこの注水ノズル１６の周囲を囲むように上記天井１７の底面に下向きに取付けたガイド筒、１Ｒは内部に収容する食塩等の塩ＳＬの粒子よりも細かなメッシュを持ち、且つ、全体を袋状に形成した網袋で、図示の如くこの網袋１Ｒは口を大きく広げた状態で上記ケージ１Ｚの内部に取付けられており、而かも、上記ガイド筒１Ｅの下端口がこの網袋１Ｒを支持したケージ１Ｚの上端口の内側に挿入されている。
【００２２】
また、図１乃至図４に於いて、８と９は溶解槽１の内部に縦設した塩水ＷＴ用の残量検知用と上限検知用の各ガイドシャフトで、これ等両シャフト８，９の下端部８ａと９ａには、残量検知用と上限検知用の各フロートスイッチ８Ｆ，９Ｆが上下移動調節自在に取付けられ、また、天井１７より上方に突出した各シャフト８，９の上端部には漏水防止用のキャップ８Ｓ，９Ｓが取付けられていて、溶解槽１内の塩水ＷＴの水量を、常時両フロートスイッチ８Ｆ，９Ｆの範囲内に維持するように構成されている。
【００２３】
尚、図６は上記各フロートスイッチ８Ｆ，９Ｆの上下移動調節機構の構造を説明したものであって、各フロートスイッチ８Ｆ，９Ｆのガイドシャフト８，９はホルダー８Ｔ，９ＴのネジＴＮを緩めることによって、天井１７に対して上下にスライドして、各フロートスイッチ８Ｆ，９Ｆを上下に自由に移動調節でき、また、各フロートスイッチ８Ｆ，９Ｆは、フロートスイッチ８Ｆ，９Ｆを取付けたネジ軸８Ｎ，９Ｎを回転することにより、その上下位置を自由に微調節できるように構成されている。
【００２４】
更に図中、４はドレインバルブ、１０は水道水取入口、５と２２は取入口１０に通じる取入パイプ１０Ｐの入口側に設けたストレーナーと手動開閉バルブ、ＳＶ１は同じく電磁弁であって、上記水道水取入パイプ１０Ｐの先端側は逆止弁１０Ｔを介して上記注水ノズル１６の給水パイプ１６Ｈ側に接続されていて、原水（水道水）を注水ノズル１６から溶解槽１内、具体的には、溶解槽１内のケージ１Ｚに広げた状態に支持された網袋１Ｒ内に収容されている塩ＳＬに向けてシャワー状に散水供給する仕組に成っている。
【００２５】
６Ｐは溶解槽１の底面に接続した塩水ＷＴ用の送水パイプ、６，７はこの送水パイプ６Ｐの途中に設けたストレーナーと送水ポンプ、１１Ｐは上記送水パイプ６Ｐの先端に接続した送出パイプ、ＳＶ２は図５に示した送水口１１の部分に取付けた電磁弁を示し、更に、図５に於いて１０Ｘは上記各パイプ６Ｐ，１１Ｐと前述した原水の取入パイプ１０Ｐの間を結ぶ循環パイプで、ＳＶ３はこの循環パイプ１０Ｘの途中に取付けたモータバルブや電磁弁の如き切換弁を示す。
【００２６】
また、２１は基台Ｔに設けた保護バー、１２と１３はこの基台Ｔに設けた酢酸（補助液）の原液タンクと酢酸サブタンク、１２Ｋと１３Ｋはその蓋体、１２Ｓは電解水生成用添加液送水口１２Ｔを設けた送水部、１２ａと１３ａは酢酸の原液をそのタンク１２からサブタンク１３に送るパイプ、２４は一方のパイプ１２ａを原液タンク１２に接続するソケット、２０は両パイプ１２ａ，１３ａの間に接続した酢酸補給ポンプ、１４と１５は上記のサブタンク１３に設けた残量検知用と上限検知用のフロートスイッチ、１９はサブタンク１３内の酢酸（補助液）を上述した溶解槽１内に供給する供給ポンプを示す。
【００２７】
図５は本発明に係る電解水生成機用塩水生成装置の全体構成図であって、この図面に従って本発明の動作を説明すると、先ずケージ１Ｚに広げた状態に支持した網袋１Ｒの内部に適量の塩ＳＬを投入し、次いで、操作パネル２に設けた運転スイッチ（図示省略）をＯＮして原水（水道水）取入用の手動バルブ２２を開くと、給水用の電磁弁ＳＶ１が開いて原水を給水パイプ１６Ｈを通して注水ノズル１６に送り、塩ＳＬに向けてシャワー状に散水する。
【００２８】
注水ノズル１６からの原水の散水は上限検知用のフロートスイッチ９ＦがＯＮする迄続けられ、フロートスイッチ９ＦがＯＮすると給水用の電磁弁ＳＶ１が閉じて原水の供給を止めると共に、送水ポンプ７が作動し、且つ、循環パイプ１０Ｘの切換弁ＳＶ３が開いて溶解槽１内の塩水ＷＴを上述した給水パイプ１６Ｈ側に循環して、注水ノズル１６から溶解槽１内に向けて循環散水する。
【００２９】
上記塩水ＷＴの循環散水はタイマー（図示せず）によって例えば７〜１０分程度続けられ、この循環によって網袋１Ｒ内に収容した塩ＳＬを効果的に溶解して、均一な濃度の塩水ＷＴを生成することができると共に、更に循環中に酢酸等の有機酸が塩水ＷＴ中に混合されるため、より質の高い電解水生成用添加液を得ることができるものであって、この間、送水口１１側に設けた送水用の電磁弁ＳＶ２は閉じた状態に維持されるから、生成された塩水ＷＴが電解水生成機側に送水されることはない。
【００３０】
尚、図５に於いて３Ｔは前述した給水パイプ１６Ｈの途中に分岐接続した洗浄パイプであって、このパイプ３Ｔの途中に設けた手動バルブ３Ｖを開くと、原水又は循環水が洗浄ノズル３０（図２並びに図４参照）から上述したフロートスイッチ８Ｆ，９Ｆに向けて散水され、各フロートスイッチ８Ｆ，９Ｆを洗浄して塩分等で作動不良にならないように保守する仕組に成っている。
【００３１】
更に本発明では、上述した運転の開始と同時に、上述した循環パイプ１０Ｘの切換弁ＳＶ３を一時的に開放して、原水の一部を循環パイプ１０Ｘ及び送水パイプ６Ｐ側に逆流させて充満させることにより、循環パイプ１０Ｘと送水パイプ６Ｐを洗浄することができると共に、送水パイプ６Ｐ中の空気だまりを無くして、運転時に於ける正常なポンプ輸送を可能にするように構成されている。
【００３２】
【発明の効果】
以上述べた次第で、本発明に係る電解水生成機用塩水生成装置によれば、一定量の原水に対して一定量の塩を循環させながら溶解するため、比較的短時間で均一な濃度の塩水を生成することができると共に、塩害による各部所の作動不良や、パイプの詰りを防止できてメンテナンスを容易に、而かも、確実に行える利点も発揮できるものであって、電解水生成機に接続して使用して洵に好適なものである。
【図面の簡単な説明】
【図１】本発明に係る電解水生成機用塩水生成装置の正面図である。
【図２】同じく塩水生成装置の一部を断面にして示した正面図である。
【図３】同じく塩水生成装置の平面図である。
【図４】同じく塩水生成装置の側面図である。
【図５】本発明に係る装置の全体構成図である。
【図６】フロートスイッチ部分の構造を拡大して説明した一部断面側面図である。
【符号の説明】
１                溶解槽
１Ｚ              ケージ
１Ｒ              網袋
６Ｐ              送水パイプ
７                送水ポンプ
９Ｆ              上限検知用フロートスイッチ
１０Ｘ            循環パイプ
１２，１３        酢酸タンク
１６              注水ノズル
３０              洗浄ノズル
ＳＶ１，ＳＶ２    電磁弁
ＳＶ３            切換弁
ＳＬ              塩
ＷＴ              塩水
５
【図１】
0003578888.tif 000002
【図２】
0003578888.tif 000003
【図３】
0003578888.tif 000004
【図４】
0003578888.tif 000005
【図５】
0003578888.tif 000006
【図６】
0003578888.tif 000007